(57)【特許請求の範囲】
【請求項１】
現在位置を特定するための位置特定情報を受信する受信部と、
磁気センサーと、
前記受信部が受信した位置特定情報と、前記磁気センサーの出力と、目的地の位置を示す目的地情報と、に基づいて前記目的地の方向を決定し、前記位置特定情報と前記目的地情報とに基づいて前記目的地までの距離を決定し、前記目的地の方向を第１指針で指示するとともに、前記目的地までの距離を第２指針で表示する制御部と、
を含むことを特徴とする電子時計。
【請求項２】
前記制御部は、前記目的地までの距離に応じて、前記第２指針が表示する前記目的地までの距離の表示レンジを切り替えることを特徴とする請求項１に記載の電子時計。
【請求項３】
前記制御部は、前記表示レンジを第３指針で表示することを特徴とする請求項２に記載の電子時計。
【請求項４】
前記制御部は、さらに、前記磁気センサーの出力に基づいて北の方向を決定し、前記北の方向を第４指針で指示することを特徴とする請求項１に記載の電子時計。
【請求項５】
指針と、
現在位置を特定するための位置特定情報を受信する受信部と、
磁気センサーと、
前記受信部が受信した位置特定情報と、前記磁気センサーの出力と、目的地の位置を示す目的地情報と、に基づいて前記目的地の方向を決定し、
前記磁気センサーの出力に基づいて北の方向を決定し、
前記目的地の方向と前記北の方向とを前記指針で切り替えて指示する制御部と、
前記指針の指示する方向が、前記目的地の方向と前記北の方向とのいずれであるかを表示する方向表示部と、
を含むことを特徴とする電子時計。
【請求項６】
ユーザーの操作を受けると、前記指針の指示する方向を、前記目的地の方向と前記北の方向との間で切り替える、
ことを特徴とする請求項５に記載の電子時計。
【請求項７】
前記目的地情報は、予め番号が付された複数の位置情報のいずれかであり、
前記複数の位置情報のうち前記目的地情報として用いられた位置情報に付された番号を表示する番号表示部をさらに含む、
ことを特徴とする請求項１から６のいずれか１項に記載の電子時計。
【請求項８】
前記複数の位置情報の各々は、１つの経路上の位置を示す情報であり、
前記番号は、前記複数の位置情報の各々が示す位置の前記経路上における並び順に応じた番号である、
ことを特徴とする請求項７に記載の電子時計。
【発明の詳細な説明】
【技術分野】
【０００１】
本発明は、電子時計に関する。
【背景技術】
【０００２】
特許文献１には、目的地へのナビゲーションを液晶表示装置のようなディジタルディスプレイを用いて実行する時計が記載されている。
【先行技術文献】
【特許文献】
【０００３】
【特許文献１】特表２０００−５１２０１４号公報
【発明の概要】
【発明が解決しようとする課題】
【０００４】
目的地へのナビゲーションを実行する時計として、指針式のアナログ時計を採用する場合、ディジタルディスプレイを採用した特許文献１に記載の手法を用いることはできない。また、指針で目的地へのナビゲーションを実行する場合、ディジタルディスプレイのような細かい表示ができない。このため、目的地へのナビゲーションを指針で実行する時計において、ナビゲーションに必要な情報をユーザーに分かりやすく伝えるための手法が望まれる。
【０００５】
本発明は上述した事情に鑑みてなされたものであり、目的地へのナビゲーションを指針で実行する時計において、ナビゲーションに必要な情報をユーザーに分かりやすく伝えることを解決課題とする。
【課題を解決するための手段】
【０００６】
本発明に係る電子時計の一態様は、現在位置を特定するための位置特定情報を受信する受信部と、磁気センサーと、前記受信部が受信した位置特定情報と、前記磁気センサーの出力と、目的地の位置を示す目的地情報と、に基づいて前記目的地の方向を決定し、前記位置特定情報と前記目的地情報とに基づいて前記目的地までの距離を決定し、前記目的地の方向を第１指針で指示するとともに、前記目的地までの距離を第２指針で表示する制御部と、を含むことを特徴とする。
この態様によれば、目的地の方向を第１指針が指示し、目的地までの距離を第２指針が表示するので、目的地へのナビゲーションを指針で実行する時計において、ナビゲーションに必要な情報をユーザーに分かりやすく伝えることが可能になる。
【０００７】
上述した電子時計の一態様において、前記制御部は、前記目的地までの距離に応じて、前記第２指針が表示する前記目的地までの距離の表示レンジを切り替えることが望ましい。
この態様によれば、目的地までの距離に応じて表示レンジが切り替わるので、指針による目的地までの距離をわかりやすく表示できる。
【０００８】
上述した電子時計の一態様において、前記制御部は、前記表示レンジを第３指針で表示することが望ましい。
この態様によれば、ユーザーは、第２指針が表示する目的地までの距離の表示レンジを第３指針で確認でき、表示レンジが表示されない場合に比べて、目的地までの距離を、より認識しやすくなる。
【０００９】
前記制御部は、さらに、前記磁気センサーの出力に基づいて北の方向を決定し、前記北の方向を第４指針で指示する。
この態様によれば、目的地の方向を第１指針が指示し、北の方向を第４指針が指示するので、目的地へのナビゲーションを指針で実行する時計において、ナビゲーションに必要な情報をユーザーに分かりやすく伝えることが可能になる。
【００１０】
本発明に係る電子時計の一態様は、指針と、現在位置を特定するための位置特定情報を受信する受信部と、磁気センサーと、前記受信部が受信した位置特定情報と、前記磁気センサーの出力と、目的地の位置を示す目的地情報と、に基づいて前記目的地の方向を決定し、前記磁気センサーの出力に基づいて北の方向を決定し、前記目的地の方向と前記北の方向とを前記指針で切り替えて指示する制御部と、を含むことを特徴とする。
この態様によれば、目的地の方向と北の方向とを指針で切り替えて指示するので、目的地へのナビゲーションを指針で実行する時計において、ナビゲーションに必要な情報をユーザーに分かりやすく伝えることが可能になる。また、１つの指針で目的地の方向と北の方向とを切り替えて指示するので、ユーザーは、この１つの指針に注目することで、ナビゲーションに必要な情報を得ることができる。また、１つの指針で目的地の方向と北の方向とを指示するので、２つの指針で目的地の方向と北の方向とを指示する場合に比べて、小型化を図ることが可能になる。
【００１１】
上述した電子時計の一態様において、ユーザーの操作を受けると、前記指針の指示する方向を、前記目的地の方向と前記北の方向との間で切り替えることが望ましい。
この態様によれば、ユーザーは、指針が北の方向を指示している状況で目的地の方向を確認したいときには、操作部を操作することで目的地の方向を確認でき、指針が目的地の方向を指示している状況で北の方向を確認したいときには、操作部を操作することで北の方向を確認できる。
【００１２】
上述した電子時計の一態様において、前記指針の指示する方向が、前記目的地の方向と前記北の方向とのいずれであるかを表示する方向表示部をさらに含むことが望ましい。
この態様によれば、指針が、目的地の方向を指示しているのか、北の方向を指示しているのかを容易に視認可能になる。
【００１３】
上述した電子時計の一態様において、前記目的地情報は、予め番号が付された複数の位置情報のいずれかであり、前記複数の位置情報のうち、前記目的地情報として用いられた位置情報に付された番号を表示する番号表示部をさらに含むことが望ましい。
この態様によれば、目的地情報として用いられた位置情報に付された番号を表示するので、ナビゲーションの対象となっている目的地を番号にて認識可能になる。
【００１４】
上述した電子時計の一態様において、前記複数の位置情報の各々は、１つの経路上の位置を示す情報であり、前記番号は、前記複数の位置情報の各々が示す位置の前記経路上における並び順に応じた番号であることが望ましい。
この態様によれば、番号は、複数の位置情報の各々が示す位置の経路上における並び順に応じた番号となるので、ナビゲーションの対象となっている目的地が、経路上の何番目の位置に対応するかを容易に認識可能になる。
【図面の簡単な説明】
【００１５】
【図１】本実施形態に係る電子時計Ｗを示す平面図である。
【図２】電子時計Ｗを含むＧＰＳの全体図である。
【図３】電子時計Ｗの構成図である。
【図４】地点登録動作を説明するためのフローチャートである。
【図５】ナビゲーション動作を説明するためのフローチャートである。
【図６】目的地管理テーブル６ａの一例を示した図である。
【図７】変形例を示した構成図である。
【図８】第２実施形態に係る電子時計Ｗ１を示す平面図である。
【図９】電子時計Ｗ１の構成図である。
【発明を実施するための形態】
【００１６】
＜第１実施形態＞
以下、図面を参照しながら本発明に係る実施の形態を説明する。なお、図面において各部の寸法や縮尺は実際のものと適宜異なる。また、以下に記載する実施の形態は、本発明の好適な具体例であるから技術的に好ましい種々の限定が付されているが、本発明の範囲は、以下の説明において特に本発明を限定する旨の記載がない限り、これらの形態に限られるものではない。
【００１７】
図１は、本実施形態に係るセンサー付き電子時計（以下、単に「電子時計」と称する）Ｗを示す平面図である。
＜電子時計Ｗの概要＞
まず、電子時計Ｗの概要を説明する。
電子時計Ｗは、動作モードとして、目的地へのナビゲーションを行うナビゲーションモードと、時刻を表示する時刻表示モードと、を有している。
【００１８】
電子時計Ｗは、ナビゲーションモードでは、例えば、出発地へ戻るためのナビゲーションを行うことができる。ナビゲーションのために、地点登録スイッチＡと、ナビゲーション開始スイッチＢが使用される。
【００１９】
＜地点登録動作の概要＞
ユーザーが出発地で地点登録スイッチＡを特定時間（例えば２秒）以上継続して押下すると、電子時計Ｗは、出発地の座標（位置座標）を取得し、その座標を保持する。出発地の座標は、目的地の座標として用いられる。目的地の座標は、目的地の位置を示す目的地情報の一例である。なお、電子時計Ｗは、ＧＰＳで出発地（現在地）の座標を取得する。このため、位置の座標は緯度と経度で示される。また、特定時間は、２秒に限らず適宜変更可能である。
【００２０】
＜ナビゲーション動作の概要＞
位置登録が行われた後、ユーザーが電子時計Ｗと共に他の地点に移動し、そこで、ユーザーがナビゲーション開始スイッチＢを所定時間（例えば２秒）以上継続して押下すると、電子時計Ｗは、動作モードをナビゲーションモードに設定する。所定時間は、２秒に限らず適宜変更可能である。
【００２１】
電子時計Ｗは、ナビゲーションモードでは、ＧＰＳで一回あるいは定期的に現在地の座標を取得し、後述する磁気センサーを用いて定期的に北の方向を取得する。
【００２２】
ナビゲーションモードでは、電子時計Ｗは、現在地の座標を取得するごとに、出発地の座標と最新の現在地の座標とを用いて、出発地までの距離と、現在地から出発地までの方向とを算出する。
【００２３】
電子時計Ｗは、出発地の方向と出発地までの距離とを算出すると、磁気センサーを使って取得した北の方向を基準として出発地の方向を指針１３で指し示し、北の方向を秒針４２で指し示し、出発地までの距離を時針１１と分針１２で表示することで、出発地へ戻るためのナビゲーションを行う。
【００２４】
＜ＧＰＳの利用＞
次に、電子時計Ｗが外部信号の一例である電波（ＧＰＳ衛星からの電波）を用いて現在地の座標（位置情報）と時刻情報とを求める手法を説明する。
【００２５】
図２は、電子時計Ｗを含むＧＰＳの全体図である。
電子時計Ｗは、ＧＰＳ衛星８からの電波（衛星信号）を受信して内部時計（後述するＲＴＣ１）の時刻を修正する腕時計である。電子時計Ｗは、腕と接触する側の面（以下「裏面」と称する）の反対側の面（以下「表面」と称する）に時刻等を表示する。ＧＰＳ衛星８は、地球の上空において、所定の軌道上を周回する航法衛星である。ＧＰＳ衛星８は、航法メッセージが重畳された１．５７５４２ＧＨｚの電波（Ｌ１波）を地上に送信している。以降の説明では、航法メッセージが重畳された１．５７５４２ＧＨｚの電波を衛星信号と称する。衛星信号は、右旋偏波の円偏波である。
【００２６】
現在、約３１個のＧＰＳ衛星８（図２においては、４個のみを図示）が存在している。衛星信号がどのＧＰＳ衛星８から送信されたかを識別するために、各ＧＰＳ衛星８はＣ／Ａコード（Coarse／Acquisition Code）と呼ばれる１０２３ｂｉｔ（１ｍｓ周期）の固有のパターンを衛星信号に重畳する。各ｂｉｔは、＋１、または−１のいずれかである。このため、Ｃ／Ａコードは、ランダムパターンのように見える。
【００２７】
ＧＰＳ衛星８は原子時計を搭載している。衛星信号には、原子時計で計時された極めて正確なＧＰＳ時刻情報が含まれている。地上のコントロールセグメントにより、各ＧＰＳ衛星８に搭載されている原子時計のわずかな時刻誤差が測定されている。衛星信号には、その時刻誤差を補正するための時刻補正パラメーターも含まれている。電子時計Ｗは、１つのＧＰＳ衛星８から送信された衛星信号（電波）を受信し、その中に含まれるＧＰＳ時刻情報と時刻補正パラメーターとを使用して得られた正確な時刻（時刻情報）に、内部時計（ＲＴＣ１）の計時時刻を合わせる。
【００２８】
衛星信号には、ＧＰＳ衛星８の軌道上の位置を示す軌道情報も含まれている。電子時計Ｗは、ＧＰＳ時刻情報と軌道情報とを使用して測位計算を行うことができる。
測位計算は、電子時計Ｗの内部時計の計時時刻にある程度の誤差が含まれていることを前提として行われる。すなわち、電子時計Ｗの三次元の位置を特定するためのｘ，ｙ，ｚパラメーターに加えて時刻誤差も未知数になる。そのため、電子時計Ｗは、一般的には４つ以上のＧＰＳ衛星８からそれぞれ送信された衛星信号を受信し、その中に含まれるＧＰＳ時刻情報と軌道情報を使用して測位計算を行い、現在地の位置情報（現在地の座標）を求める。衛星信号は、現在位置を特定するための位置特定情報の一例である。
【００２９】
説明を図１に戻す。
電子時計Ｗは、時刻表示部１０と、地点登録スイッチＡと、ナビゲーション開始スイッチＢと、竜頭スイッチＣと、を有している。
【００３０】
時刻表示部１０は、時針１１と、分針１２と、指針１３と、ダイヤルリング１４と、６時側に設けられた６時側情報表示部２０と、２時側に設けられた２時側情報表示部３０と、１０時側に設けられた１０時側情報表示部４０と、日にち表示部５０と、を有している。
【００３１】
ダイヤルリング１４には、１２時制の目盛り１４ａが環状に形成され、その外側に０〜１０までの目盛り１４ｂが環状に形成されている。
【００３２】
時刻表示部１０は、動作モードが時刻表示モードである場合、目盛り１４ａを基準にして、時針１１と分針１２とで、時刻を表示する。時針１１と分針１２との指示位置は、例えば、竜頭スイッチＣの操作に応じて変更される。
【００３３】
また、時刻表示部１０は、時刻表示モード下でクロノグラフ機能（ストップウォッチ機能）が有効になった場合（例えば、時刻表示モード下で、ナビゲーション開始スイッチＢが所定時間（例えば２秒）よりも短い間押下された場合）、指針１３にてストップウォッチ機能で計時された時間を表示する。
【００３４】
また、時刻表示部１０は、動作モードがナビゲーションモードである場合、指針１３で目的地の方向を指示し、目盛り１４ｂを基準にして時針１１と分針１２で目的地までの距離を表示する。この際、目盛り１４ｂの各数値は、時針１１に対しては「ｋｍ」の１の位の桁の値として使用され、分針１２に対しては「ｍ」の１００の位の桁の値として使用される。図１に示した例では、時針１１が「１０」を指示し、分針１２が「１」を指示しているので、目的地までの距離（残り距離）として、１０．１ｋｍが表示されている。指針１３は、第１指針の一例である。
【００３５】
６時側情報表示部２０は、文字板２１と、モード指針２２と、を有している。
文字板２１には、動作モードを表す文字が記載されている。具体的には、文字板２１には、ナビゲーションモードを表す「ＮＡＶＩ」の文字２１ａと、時刻表示モードを表す「ＴＩＭＥ」の文字２１ｂが記載されている。
【００３６】
６時側情報表示部２０は、モード指針２２が「ＮＡＶＩ」の文字２１ａを指示することで動作モードがナビゲーションモードであることを表示する。また、６時側情報表示部２０は、モード指針２２が「ＴＩＭＥ」の文字２１ｂを指示することで動作モードが時刻表示モードであることを表示する。
【００３７】
２時側情報表示部３０は、文字板３１と、残量指針３２と、を有している。
文字板３１には、電子時計Ｗの電源として使用されている電池の残量を示す残量メーター３１ａが設けられている。
２時側情報表示部３０は、残量指針３２で残量メーター３１ａを指示することで電池の残量を表示する。
【００３８】
１０時側情報表示部４０は、文字板４１と、秒針４２と、を有している。秒針４２は、第２指針の一例である。
文字板４１には、秒についての目盛り４１ａが設けられている。
１０時側情報表示部４０は、動作モードが時刻表示モードである場合、秒針４２で時刻における秒を表示する。また、１０時側情報表示部４０は、動作モードがナビゲーションモードである場合、秒針４２で、北の方向を表示する。
【００３９】
日にち表示部５０は、カレンダーの日にちを表示する日車５１を有している。
【００４０】
ここで図１について補足すると、モード指針２２が「ＮＡＶＩ」の文字２１ａを指示しているので、６時側情報表示部２０は、動作モードとしてナビゲーションモードを表示している。
そして、動作モードがナビゲーションモードであるので、秒針４２は秒ではなく北の方向を指し示し、指針１３は出発地（目的地）の方向を指し示し、時針１１と分針１２は時刻ではなく出発地までの距離を表示している。また、２時側情報表示部３０は、残量指針３２で電池残量を表示している。日にち表示部５０は、「２日」を表示している。
【００４１】
図３は、電子時計Ｗの構成図である。図３において、図１に示したものと同一構成のものには同一符号を付してある。
【００４２】
電子時計Ｗは、時刻表示部１０に関する構成として、時針１１と、分針１２と、指針１３と、輪列機構２０１および２０２と、ステッピングモーター３０１および３０２と、モータードライバー４０１および４０２と、を含む。モータードライバー４０１は、輪列機構２０１を介して時針１１と分針１２とを駆動するためにステッピングモーター３０１を駆動する。モータードライバー４０２は、輪列機構２０２を介して指針１３を駆動するためにステッピングモーター３０２を駆動する。
【００４３】
電子時計Ｗは、６時側情報表示部２０に関する構成として、モード指針２２と、輪列機構２０３と、ステッピングモーター３０３と、モータードライバー４０３と、を含む。モータードライバー４０３は、輪列機構２０３を介してモード指針２２を駆動するためにステッピングモーター３０３を駆動する。
【００４４】
電子時計Ｗは、２時側情報表示部３０に関する構成として、残量指針３２と、輪列機構２０４と、ステッピングモーター３０４と、モータードライバー４０４と、を含む。モータードライバー４０４は、輪列機構２０４を介して残量指針３２を駆動するためにステッピングモーター３０４を駆動する。
【００４５】
電子時計Ｗは、１０時側情報表示部４０に関する構成として、秒針４２と、輪列機構２０５と、ステッピングモーター３０５と、モータードライバー４０５と、を含む。モータードライバー４０５は、輪列機構２０５を介して秒針４２を駆動するためにステッピングモーター３０５を駆動する。
【００４６】
電子時計Ｗは、日にち表示部５０に関する構成として、日車５１と、輪列機構２０６と、ステッピングモーター３０６と、モータードライバー４０６と、を含む。モータードライバー４０６は、輪列機構２０６を介して日車５１を駆動するためにステッピングモーター３０６を駆動する。
【００４７】
電子時計Ｗは、さらに、ＲＴＣ（リアルタイムクロック）１と、ＧＰＳレシーバー２と、磁気センサー３と、記憶部４と、制御部５と、を含む。
【００４８】
ＲＴＣ１は、水晶振動子（不図示）から出力された基準信号を用いて時刻を計時する。
ＧＰＳレシーバー２は、ＧＰＳ衛星８から送信された衛星信号（電波）を受信する。ＧＰＳレシーバー２は、現在位置を特定するための位置特定情報を受信する受信部の一例である。
磁気センサー３は、地磁気、つまり、磁北を検出する。
記憶部４は、例えば、一時的でない記録媒体（non-transitory storage medium）であり、コンピュータープログラムを記録している。
【００４９】
制御部５は、例えば、ＣＰＵであり、記憶部４に記憶されたコンピュータープログラムを読み取り実行することで種々の機能を実現する。例えば、制御部５は、ＧＰＳレシーバー２が受信した衛星信号を用いて、現在地の座標（位置座標）を特定する。また、制御部５は、時針１１と分針１２と指針１３と秒針４２とを用いて、出発地（目的地）へのナビゲーションを実行する。
【００５０】
＜動作の説明＞
次に、ナビゲーションモードを中心に電子時計Ｗの動作を説明する。
【００５１】
＜地点登録動作＞
図４は、地点登録動作を説明するためのフローチャートである。
例えば、制御部５は、出発地で地点登録スイッチＡが特定時間（例えば２秒）以上継続して押下されたこと（地点登録スイッチＡの長押し）を検出すると（ステップＳ４０１）、ＧＰＳレシーバー２を起動し、ＧＰＳ衛星８から送信された衛星信号を、ＧＰＳレシーバー２を介して受け付ける。続いて、制御部５は、衛星信号を用いて現在地の座標を算出する（ステップＳ４０２）。続いて、制御部５は、現在地の座標を記憶部４に記憶（登録）する（ステップＳ４０３）。記憶部４に記憶された座標は、目的地の位置を示す目的地情報として用いられる。
【００５２】
＜ナビゲーション動作＞
図５は、ナビゲーション動作を説明するためのフローチャートである。
制御部５は、動作モードが時刻表示モードである状況でナビゲーション開始スイッチＢが所定時間（例えば２秒）以上継続して押下されたこと（時刻表示モードでのナビゲーション開始スイッチＢの長押し）を検出すると（ステップＳ５０１）、動作モードを、ナビゲーションモードに移行し、モード指針２２が「ＮＡＶＩ」の文字２１ａを指示するようにモータードライバー４０３を駆動する（ステップＳ５０２）。
【００５３】
続いて、制御部５は、ＧＰＳレシーバー２を起動し、ＧＰＳ衛星８から送信された衛星信号を、ＧＰＳレシーバー２を介して受け付ける。続いて、制御部５は、衛星信号を用いて現在地の座標を算出する（ステップＳ５０３）。
【００５４】
続いて、制御部５は、記憶部４に記憶されている座標を目的地情報として用い、目的地情報（目的地の座標）と最新の現在地の座標とを用いて、現在地から見た出発地の方位と、現在地と出発地との間の距離（出発地までの距離）と、を決定する（ステップＳ５０４）。
【００５５】
続いて、制御部５は、磁気センサー３を起動し、磁気センサー３の出力に基づいて磁北の方向を決定する。続いて、制御部５は、磁北の方向を、予め記憶部４に記憶されている偏角の情報で補正して真北の方向を決定する（ステップＳ５０５）。なお、記憶部４が、偏角と位置座標との関係を表す偏角テーブルを記憶している場合、制御部５は、現在地の座標に対応する偏角を偏角テーブルから読み出し、その読み出した偏角を用いて磁北の方向を補正して、真北の方向を決定してもよい。
【００５６】
続いて、制御部５は、秒針４２が真北の方向を指し示すようにモータードライバー４０５を制御し、かつ、指針１３が出発地の方向（目的地の方向）を指し示すようにモータードライバー４０２を制御する（ステップＳ５０６）。ここで、制御部５は、出発地の方向（目的地の方向）を、出発地の方位と真北の方向とに基づいて決定する。
【００５７】
続いて、制御部５は、時針１１と分針１２とで目的地までの距離（残り距離）が表示されるように、モータードライバー４０１を制御する（ステップＳ５０７）。
【００５８】
以下、ナビゲーションモードが継続している間、制御部５は、衛星信号を用いた現在地の座標の算出と、磁気センサー３の出力を用いた真北の方向の決定動作と、目的地情報と現在地の座標とを用いた現在地と出発地との間の距離の決定動作と、を定期的に行い、これらの結果を用いて、目的地の方向と真北の方向と目的地までの距離との表示を定期的に更新していく。
【００５９】
なお、省電力化のため、制御部５は、ナビゲーションモードの継続時間が所定の閾値時間（例えば２分）を超えた場合、磁気センサー３を用いた真北の決定動作と、秒針４２および指針１３による方向指示動作と、時針１１と分針１２による距離表示動作とを停止し、時針１１および分針１２で時刻を表示する。例えば、制御部５は、ナビゲーションモードの継続時間が所定の閾値時間を超えた場合、動作モードを、ナビゲーションモードから時刻表示モードに強制的に変更してもよい。所定の閾値時間は、２分に限らず適宜変更可能である。
また、省電力化の別の方法として、衛星信号を用いた現在地の座標の算出は１回のみとし、磁気センサー３の出力を用いた真北の方向の決定動作のみを定期的に行ってもよい。この場合は、目的地までの距離は更新されず、目的地の方向と真北の方向とが定期的に更新される。ユーザーが同じ位置に留まって向きだけが変わる場合、この動作で十分である。
【００６０】
本実施形態によれば、目的地の方向を指針１３が指示し、北の方向を秒針４２が指示し、目的地までの距離を時針１１と分針１２が表示するので、目的地へのナビゲーションを指針で実行する時計において、ナビゲーションに必要な情報をユーザーに分かりやすく伝えることが可能になる。
【００６１】
特に、本実施形態では、目的地の方向と北の方向とが異なる指針で同時に指示されるので、ユーザーは目的地の方向を一目で把握することができる。
【００６２】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００６３】
＜変形例１＞
上述した本実施形態では、出発地で地点登録スイッチＡが特定時間以上継続して押下されて、出発地が目的地として登録された後、出発地に戻るためのナビゲーションが実行される。
【００６４】
しかしながら、出発地に戻るためのナビゲーションを行う場合、制御部５は、ユーザーの移動経路上の複数の地点（ウエイポイント）の各々を記憶部４に登録し、登録した複数の地点のうちの１つを目的地として用い、目的地として用いる地点をユーザー操作に応じて切り替えながら、最終的に出発地へナビゲーションしてもよい。
【００６５】
例えば、記憶部４に過去に登録された目的地の座標がすべてクリアされた状態で、ユーザーが、移動経路上の複数の地点の各々で、地点登録スイッチＡを特定時間以上継続して押下して、各地点の座標（各目的地の座標）を電子時計Ｗに順番に登録する。この際、制御部５は、各地点の座標に、該地点が登録された順序に対応する番号を付し、番号が付された地点の座標を記憶部４に記憶する。
【００６６】
一例を挙げると、制御部５は、ｎ（ｎは１以上の整数）番目に登録された地点の座標に対して番号「ｎ」を付し、番号「ｎ」が付された地点の座標を記憶部４に記憶する。
【００６７】
図６は、記憶部４が番号の付された地点の座標を管理するための目的地管理テーブル６ａの一例を示した図である。この場合、ナビゲーションが開始される前に登録された各地点の座標（各目的地の座標）には、予め番号が付されていることになる。
【００６８】
なお、制御部５は、例えば、地点登録スイッチＡとナビゲーション開始スイッチＢとが共に押下された場合に、目的地管理テーブル６ａに登録されている番号付き地点座標（記憶部４に過去に記憶された目的地の座標）をすべてクリアする。
【００６９】
制御部５は、登録した複数の地点のうちの１つを目的地として用い、その目的地へのナビゲーションを行い、さらに、その目的地として用いられた地点の座標に付された番号（ｎ）を日車５１が表示するように、モータードライバー４０６を制御する。
【００７０】
例えば、ユーザーが１つの経路上のｎ個の地点の座標を順番に電子時計Ｗ（記憶部４）に登録した場合、制御部５は、まず、最後に登録され番号「ｎ」が付された地点の座標を目的地（目的地情報）として用いて、番号「ｎ」が付された地点へのナビゲーションを実行しつつ、日車５１で「ｎ」を表示する。日車５１は、複数の位置情報のうち目的地情報として用いられた位置情報に付された番号を表示する番号表示部の一例である。なお、目的地情報として用いられた位置情報に付された番号は、日車５１ではなく、指針（例えば、残量指針３２）で表示されてもよい。
【００７１】
その後、ユーザーは、電子時計Ｗのナビゲーションに従って番号「ｎ」の付された地点に戻ってきたと判断したら、ナビゲーション開始スイッチＢと竜頭スイッチＣとを操作（例えば、竜頭スイッチＣを引き出した状態でナビゲーション開始スイッチＢを押下）して、目的地を、番号「ｎ」が付された地点の座標から番号「ｎ−１」が付された地点の座標に切り替える。この切り替えに応じて、電子時計Ｗは、番号「ｎ−１」が付された地点へのナビゲーションを開始する。以下、同様に、日車５１に表示される番号が１ずつ小さくなるように目的地を切り替えることで、出発地に戻るためのナビゲーションが実行される。
【００７２】
＜変形例２＞
上述した本実施形態では、制御部５は、地点登録スイッチＡの操作に応じて出発地の座標（目的地情報）を記憶部４に登録したが、目的地情報は、予め記憶部４に登録されていてもよい。例えば、目的地の座標として、メッカの位置の座標が予め記憶部４に登録されていてもよい。この場合、目的地の方向としてキブラ（ムスリムの拝礼の方向）を表示することができる。
【００７３】
＜変形例３＞
また、図７に示したように、電子時計Ｗに無線通信部６が設けられ、例えばスマートフォン等の通信機器から無線通信部６を介して目的地の座標が登録されてもよい。
【００７４】
＜第２実施形態＞
図８は、本発明の第２実施形態に係る電子時計Ｗ１を示す平面図である。図９は、電子時計Ｗ１の構成図である。なお、図８および図９において、図１または図３に示したものと同一構成のものには同一符号を付してある。
【００７５】
電子時計Ｗ１は、電子時計Ｗが有する構成に加えて、方位表示切り替えスイッチＤを有する。方位表示切り替えスイッチＤは、ユーザーの操作を受ける操作部の一例である。なお、１０時側情報表示部４０は、秒針４２の代わりに、距離表示針４３を有する。
【００７６】
第２実施形態に係る電子時計Ｗ１では、第１実施形態に係る電子時計Ｗと比べて、時刻表示部１０が表示する情報、６時側情報表示部２０が表示する情報、および１０時側情報表示部４０が表示する情報が異なる。
【００７７】
制御部５は、動作モードに関わらず、目盛り１４ａを基準にして時針１１と分針１２とで時刻を表示する。
【００７８】
制御部５は、時刻表示モードでは、指針１３で時刻の秒を表示する。
【００７９】
制御部５は、ナビゲーションモードでは、指針１３で目的地の方向と真北の方向とを切り替えて指示する。本実施形態では、制御部５は、ナビゲーションモードにおいて方位表示切り替えスイッチＤの押下操作を受けると、指針１３の指示する方向を、目的地の方向と真北の方向との間で切り替える。例えば、制御部５は、指針１３が目的地の方向を指示しているときに方位表示切り替えスイッチＤの押下操作を受けると、指針１３の指示する方向を、真北の方向に切り替える。また、制御部５は、指針１３が真北の方向を指示しているときに方位表示切り替えスイッチＤの押下操作を受けると、指針１３の指示する方向を、目的地の方向に切り替える。このため、指針１３は、方位表示切り替えスイッチＤの押下操作に応じて、目的地の方向と真北の方向とを交互に指示する。
【００８０】
指針１３が真北の方向を示す場合、制御部５は、６時側情報表示部２０において、モード指針２２で、文字板２１上の「ＣＯＭＰ」の文字２１ｃを指し示す。一方、指針１３が目的地の方向を示す場合、制御部５は、６時側情報表示部２０において、モード指針２２で、「ＣＯＭＰ」の文字２１ｃ以外の部分（文字板２１上の「ＦＡＲ」の文字２１ｄ、または、文字板２１上の「ＮＥＡＲ」の文字２１ｅ）を指し示す。このため、指針１３が目的地の方向を示しているか真北の方向を示しているかは、６時側情報表示部２０のモード指針２２の指し示す文字にて判断可能となる。これにより、１本の指針１３で２つの方位情報（目的地の方向と真北の方向）を表示可能になる。モード指針２２は、指針１３の指示する方向が、目的地の方向と北の方向とのいずれであるかを表示する方向表示部の一例である。
【００８１】
制御部５は、１０時側情報表示部４０において、目的地までの距離を距離表示針４３で表示する。１０時側情報表示部４０では、目盛り４１ａに代わりに、０〜９までの目盛り４１ｂが環状に形成されている。
【００８２】
指針１３が目的地の方向を示している状態で、目的地までの距離が１ｋｍ以上の場合は、制御部５は、６時側情報表示部２０において、モード指針２２で、文字板２１上の「ＦＡＲ」の文字２１ｄを指し示す。モード指針２２が「ＦＡＲ」の文字２１ｄを指し示す場合、制御部５は、１０時側情報表示部４０の文字板４１に記載された数値の目盛り４１ｂを１ｋｍ単位として使用し、目的地までの距離の距離レンジを１０ｋｍにする。図８に示した例では、モード指針２２が「ＦＡＲ」の文字２１ｄを指し示しているため、指針１３は９ｋｍを表示していることになる。
【００８３】
一方、指針１３が目的地の方向を示している状態で、目的地までの距離が１ｋｍ未満の場合、制御部５は、６時側情報表示部２０において、モード指針２２で、文字板２１上の「ＮＥＡＲ」の文字２１ｅを指し示す。モード指針２２が「ＮＥＡＲ」の文字２１ｅを指し示す場合、制御部５は、１０時側情報表示部４０の文字板４１に記載された数値の目盛り４１ｂを１００ｍ単位として使用し、目的地の距離までの距離レンジを１０００ｍにする。例えば、図８に示した例において、モード指針２２が「ＮＥＡＲ」の文字２１ｅを指し示すと、指針１３は９００ｍを表示していることになる。
【００８４】
このように、制御部５が、目的地までの距離に応じて、距離表示針４３が表示する目的地までの距離の表示レンジを切り替える。このため、指針による限られた表示態様で、細かく距離を表現することが可能になる。なお、モード指針２２は、第３指針の一例でもある。
【００８５】
＜変形例＞
本実施形態においても、第１実施形態で示したように変形（例えば、変形例１〜変形例３）がなされてもよい。
また、本実施形態では、１０時側情報表示部４０において１つの距離表示針４３で目的地までの距離を示したが、１０時側情報表示部４０において２つの指針を用いて目的地までの距離を示してもよい。この場合、２つの指針は、第１実施形態において時針１１と分針１２とが目的地までの距離を示したように、目的地までの距離を示すことが望ましい。なお、この２つの指針は、同軸で回転してもよいし、別の軸を中心に回転してもよい。
【符号の説明】
【００８６】
Ａ…地点登録スイッチ、Ｂ…ナビゲーション開始スイッチ、Ｃ…竜頭スイッチ、Ｄ…方位切り替えスイッチ、Ｗ…電子時計、１…ＲＴＣ、２…ＧＰＳレシーバー、３…磁気センサー、４…記憶部、５…制御部、１０…時刻表示部、１１…時針、１２…分針、１３…指針、２０…６時側情報表示部、２２…モード表示針、３０…２時側情報表示部、３２…残量指針、４０…１０時側情報表示部、４３…距離表示針、５１…日車、２０１〜２０６…輪列機構、３０１〜３０６…ステッピングモーター、４０１〜４０６…モータードライバー。
【図１】
0006759631.tif 000002
【図２】
0006759631.tif 000003
【図３】
0006759631.tif 000004
【図４】
0006759631.tif 000005
【図５】
0006759631.tif 000006
【図６】
0006759631.tif 000007
【図７】
0006759631.tif 000008
【図８】
0006759631.tif 000009
【図９】
0006759631.tif 000010